(57)【要約】【課題】厨芥を水とともに破砕室に投入し、破砕室底部に設けられた回転刃板上面に取り付けた破砕ハンマーと遠心力により厨芥を破砕するディスポーザにおいて、回転刃板または補強板を切り起こして形成した固定ハンマーが、厨芥や異物との衝撃により後方に倒されて破砕作用が低下するのを防止する。【構成】回転刃板３または回転刃板の下面に重ねた補強板１０から切り起こして形成した固定ハンマー４を設けたディスポーザにおいて、回転刃板３の回転方向に対して前記固定ハンマー４の後ろ側の面（背面）に接触させた支え部材１１を設けている。前記支え部材１１は、背面に接触させた支え片、あるいは回転刃板３や補強板１０から切り起こして形成した支え部材が用いられる。    【選択図】        図２
2008279358.tif 000002
【特許請求の範囲】
【請求項１】
厨芥を投入する破砕室の底部に回転刃板を設け、この回転刃板または回転刃板の下面に重ねた補強板を切り起こして形成した固定ハンマーをそなえたディスポーザにおいて、回転刃板の回転方向に対して後ろ側になる前記固定ハンマーの背面に接触させた支え部材をそなえたことを特徴とするディスポーザ。
【請求項２】
前記固定ハンマーが回転刃板または補強板を切り起こして形成され、支え部材が前記固定ハンマーの背面に接触させて補強板に取り付けた支え片である請求項１に記載したディスポーザ。
【請求項３】
前記固定ハンマーが回転刃板または補強板の一方から切り起こして形成され、他方の補強板または回転刃板から切り起こした支え部材を、前記固定ハンマーの背面に重ね合わせたことを特徴とする請求項１に記載したディスポーザ。
【請求項４】
前記固定ハンマーが補強板から切り起こして形成され、回転刃板を回転方向に傾斜させて切り起こした支え部材をそなえ、支え部材を切り起こした部分に下方から挿通した固定ハンマーの背面に前記支え部材の前縁を接触させたことを特徴とする請求項１に記載したディスポーザ。
【請求項５】
前記固定ハンマーが補強板から切り起こして形成され、回転刃板に前記固定ハンマーを挿入する切り欠き溝をそなえ、前記切り欠き溝の回転方向に対して後ろ側になる回転刃板の一部を切り欠き溝と交差する方向の折り曲げ部で切り起こした支え部材をそなえ、切り欠き溝の下方から挿通した固定ハンマーの背面に前記支え部材の前縁を接触させたことを特徴とする請求項１に記載したディスポーザ。
【発明の詳細な説明】
【技術分野】
【０００１】
本発明は、台所などで発生する厨芥を粉砕処理するディスポーザの回転刃板、特に回転刃板に設けられている破砕ハンマーに関する。
【背景技術】
【０００２】
台所などで用いられる小形のディスポーザは、厨芥を水とともに破砕室に投入し、破砕室底部に設けられた回転刃板を回転させて、回転刃板上面に取り付けた破砕ハンマーと遠心力により厨芥を破砕し、回転刃板を囲んで破砕室の底部内壁に設けた固定刃と回転刃板外周との間で細かく剪断処理して排出するようにしている。このようなディスポーザにおける前記破砕ハンマーは、回転刃板に回動するように取り付けたスイングハンマーと、固定された固定ハンマーのいずれかが用いられている。
【０００３】
回転刃板上で回動するスイングハンマーは、硬い大きな厨芥あるいは厨芥に混入した金属製スプーンや石などの異物が当たると、その衝撃で回動して衝撃を和らげるとともに、固定刃への噛み込みを防ぐ利点があるが、構造が複雑になり、回転刃板とハンマーとの隙間に破砕された厨芥が挟まると円滑な回動が阻害される欠点があった。また固定ハンマーは特許文献１の第２打撃刃のように回転刃板上に固着されており、別個に作られたハンマー部品を回転刃板に固着させる構造だけでなく、回転刃板からハンマーの形状に切り起こして形成できる利点があり（特許文献２、図４参照）、製作の作業性に優れている。
また、本出願人は回転刃板から切り起こした固定ハンマーを設けるとともに、回転刃板の下面に重ねた補強板から切り起こした第２の固定ハンマーをそなえることを提案している。（特許文献３参照）
【０００４】
【特許文献１】特開平１０−２９６１０８号公報
【特許文献２】特開２００６−３３４５６４号公報
【特許文献３】特願２００６−３１００７５号
【発明の開示】
【発明が解決しようとする課題】
【０００５】
しかし、回転刃板はフライホイール効果を小さくするため厚さ２ｍｍ程度のステンレス板を用い、補強板も厚さ３ｍｍ程度のステンレス板であるため、回転刃板や補強板から切り起こして折り曲げ形成された固定ハンマーは、別のハンマー部品を取り付ける場合と異なって厚さが制限され、投入された厨芥に硬く大きな厨芥や金属製などの異物が混入している場合は、固定ハンマーに強い衝撃が加わって後方に倒され、曲げ角度が変わって破砕作用が低下する欠点があった。
本発明は、回転刃板または補強板を切り起こして形成した固定ハンマーが、厨芥や異物との衝撃で倒れないように、固定ハンマーの背面に支え部材を形成させ、固定ハンマーの曲げ角度を保持させるようにしている。
【課題を解決するための手段】
【０００６】
このため、回転刃板自体または回転刃板の下面に重ねた補強板を切り起こして形成した固定ハンマーをそなえたディスポーザにおいて、回転刃板の回転方向に対して後ろ側になる固定ハンマーの背面に接触させた支え部材を設けている。
この支え部材は、請求項２では、固定ハンマーの背面に接触させた支え片を設け、ネジやピンで回転刃板または補強板に取り付け、あるいは接着などで固定させている。なお、支え片とネジが一体形状になっているボルトなどを回転刃板または補強板に取り付け、その頭を支え部材として用いることができる。
【０００７】
また、請求項３では、回転刃板から切り起こして形成した固定ハンマーを設け、補強板から同じように切り起こした支え部材を、前記固定ハンマーと重ね合わせて強度を大きくしている。
【０００８】
また、請求項４では、補強板を切り起こして形成した固定ハンマーを設け、回転刃板の一部を回転方向に傾斜させて切り起こした支え部材をそなえ、回転刃板の支え部材を切り起こした部分の下方から固定ハンマーを挿通して、その背面に、前記支え部材の前縁を押し付けて接触させている。
【０００９】
また、請求項５では、補強板を切り起こして形成した固定ハンマーを設け、回転刃板に前記固定ハンマーを挿通する切り欠き溝をそなえ、この切り欠き溝の回転方向に対して後ろ側の一部を、切り欠き溝と交差する方向の折り曲げ部に沿って切り起こした支え部材を形成し、切り欠き溝の下方から挿通した固定ハンマーの背面に前記支え部材の前縁を接触させるようにしている。 
【発明の効果】
【００１０】
回転刃板自体または回転刃板の下面に重ねた補強板から切り起こして形成した固定ハンマーにおいて、回転刃板の回転方向に対して後ろ側になる背面に、支え部材を接触させて設けることによって回転刃板や補強板の厚さを大きくしなくても、固定ハンマーの強度を増大させ、厨芥や異物との衝撃による倒れを無くすことができ、ハンマー作用を有効に保持できる効果が得られる。
また、前記支え部材は固定ハンマーの背面に接触させる別の部材を取り付けることができるが、補強板や回転刃板から切り起こして形成し、切り起こし片を固定ハンマーの背面に接触させることによっても構成されるので、簡単な構造により確実な保持を行なうことができ、製作も容易であるなどの効果がある。
【実施例】
【００１１】
以下、図に示す実施例について説明する。
図１は本発明を実施したディスポーザの例を示す側断面図、図２は本発明による回転刃板の実施例を示す上面図、図３はＡ−Ａ断面図である。
１は厨芥の投入口、２は破砕室、３は回転刃板、４は回転刃板から切り起こした固定ハンマー、５は回転刃板を囲む固定刃、６は排出室、７はインペラ、８は回転刃板３を駆動するモータ軸、９は排出管、１０は回転刃板３の下面に重ねた補強板で、図では短冊状に形成しているが、回転刃板４に合わせた円形のものでもよい。１１は支え部材、１２は取付ネジ、１３はナットである。
モータ軸８に取り付けられた回転刃板３には、対称位置に回転刃板自体を切り起こして直角に折り曲げ形成した固定ハンマー４をそなえており、回転刃板３の下面に補強板１０を重ねてスポット溶接などで固着させ、補強板１０で固定ハンマー４を切り起こした部分を塞ぐようにしている。
【００１２】
投入口１から投入された厨芥を受けて回転刃板３が矢印方向に回転すると、厨芥が固定ハンマー４の前面に当たって破砕されるが、回転刃板３は、たとえば厚さ２ｍｍのステンレス板であるため金属などの異物との大きな衝撃や、破砕時の繰り返しの衝撃によって後ろ側に倒され、後方に傾くと厨芥との衝撃力が減少し破砕効果が低下する。このため、この実施例では回転方向に対して後ろ側になる固定ハンマー４の背面４ａに接触させた支え片からなる支え部材１１をそなえ、取付ネジ１２で補強板１０に固着させてある。したがって、前記衝撃を支え部材１１で受け、固定ハンマー４の倒れを防ぐことができ、固定ハンマー４の曲げ角度を保持させる。
なお、支え部材１１は、別個の取付ネジ１２で補強板１０に固着させているが、支え部材１１を取付ネジ１２とを一体にしたボルト状にし、ナット１３で補強板１０に取り付けることもでき、６角ボルトや６角孔付ボルトなどを用いてもよい。
【００１３】
図４および図５は別の実施例で、図２、図３と同じ部分に同一の符号を付している。
固定ハンマー４は、回転刃板３から切り起こして形成され、回転刃板３の下面に重ねた補強板１０に前記固定ハンマー４と同様に切り起こした支え部材１４をそなえ、固定ハンマー４の背面に支え部材１４を重ね合わせて補強板１０を回転刃板３に固着させている。
支え部材１４を、図５に示すように回転刃板３の固定ハンマー４とは反対方向に切り起こすようにすれば、衝撃による応力が固定ハンマー４と支え部材１４の曲げ方向に対してそれぞれ逆方向に加わり、全体としての強度を大きくできるとともに、切り起こした後の切り欠き部分を相互に塞ぐことができる。また、補強板１０から固定マンマー４を切り起こし、回転刃板３から支え部材１４を切り起こすようにすることもできる。
この実施例では、回転刃板３と補強板１０を同じように切り起こすだけでよく、構造的にも簡単で、補強板１０を回転刃板３に重ねるときの位置合わせが容易でなる。
【００１４】
図６および図７は他の実施例で、図６の上部は固定ハンマー４を省いて回転刃板３の切り起こし部分を示している。
固定ハンマー４を補強板１０から切り起こす場合は、回転刃板３に前記固定ハンマーを挿通する切り欠き溝を設けているが、この実施例では図６の上部に示すように、回転刃板３に切り欠き溝部分１５を含めて切り込み線１７を設け、折り曲げ部１８から上方に切り起こすことによって回転方向に傾斜させた支え部材１６を形成させており、切り起こした開口部１９に補強板１０の固定ハンマー４を下方から挿通させて補強板１０を回転刃板３に固着し、斜めに切り起した支え部材１６を押し下げてその前縁を固定ハンマー４の背面に押し付け接触させている。
【００１５】
支え部材１６の幅は、固定ハンマー４の幅に合わせる必要はないが、支え部材１６の幅が固定ハンマー４の幅より小さい場合は、回転刃板３に固定ハンマー４を挿通させる切り欠き溝部分を形成させるために切り込み線１７の形状が複雑になるため同じ幅にしておくのが好ましい。
また、支え部材１６は、固定ハンマーを挿通する切り欠き溝部分１５を含めた長さで切り起こしているので、その前端部を確実に固定ハンマー背面の中間部に押し付けることができる。
なお、回転刃板３から切り起こした支え部材１６は固定ハンマー背面の中間部に押し付けられるため、支え部材１６の下面に空間ができ、支え部材１６を切り起こした後の開口部１９の下方が補強板で塞がれていると、破砕された小さい厨芥が入り込んで回転刃板３上に残るが、固定ハンマー４を図７のように補強板１０の支え部材１６側から切り起こして形成しておけば、支え部材１６下方の空間が固定ハンマー４を切り起こした後の切り欠き部に連通して支え部材１６下面の厨芥を排出室６に排出させることができる。
【００１６】
図８および図９はさらに別の実施例を示すもので、図８の上部は回転刃板３を切り起こす前の状態を示し、下部は切り起こした後の状態を示している。
固定ハンマー４は補強板１０から切り起こされており、回転刃板３に前記固定ハンマーを挿通する切り欠き溝２０を設けている。２１は切り欠き溝２０から回転方向の後ろ側に回転刃板３の外縁から設けた切り込み線で、切り欠き溝２０と前記切り込み線２１の間の部分を、切り欠き溝２０と直角に交差する方向の折り曲げ部２２で切り起こして支え部材２３を形成している。
固定ハンマー４を切り欠き溝２０に挿通した補強板１０を回転刃板３の下面に固着させた後に固定ハンマー４の背面に前記支え部材２３を切り起こし、切り起した支え部材２３の前縁２４を固定ハンマー４の背面に接触させている。
【００１７】
切り欠き溝２０の幅が固定ハンマー４の厚さより大きく、固定ハンマー４の挿通に余裕がある場合は、支え部材２３を切り欠き溝２０と直角方向の折り曲げ部２２で切り起こしたときに、支え部材２３の前縁２４と固定ハンマー４の背面との間に隙間ができて接触しない状態が生じるが、僅かな空隙であれば差し支えない。しかし、空隙を無くす必要がある場合は、折り曲げ部２２を後端が内側になるように僅かに傾けて切り欠き溝２０と交差させることにより、前縁２４の上部が切り欠き溝２０側に出るように傾斜し、前縁２４の先端部を固定ハンマー４の背面に接触させることができる。
【図面の簡単な説明】
【００１８】
【図１】本発明を実施するディスポーザの例を示す断面図である。
【図２】本発明を実施した回転刃板の例を示す上面図である。
【図３】図２のＡ−Ａ線に沿う断面図である。
【図４】本発明を実施した別の回転刃板の例を示す上面図である。
【図５】図４のＢ−Ｂ線に沿う断面図である。
【図６】本発明を実施した他の回転刃板の例を示す上面図である。
【図７】図６のＣ−Ｃ線に沿う断面図である。
【図８】本発明を実施したさらに別の回転刃板の例を示す上面図である。
【図９】図８のＤ−Ｄ線に沿う断面図である。
【符号の説明】
【００１９】
１  投入口
２  破砕室
３  回転刃板
４  固定ハンマー
４ａ  背面
５  固定刃
６  排出室
７  インペラ
８  モータ軸
９  排出管
１０  補強板
１１  支え部材
１２  取付ネジ
１３  ナット
１４  支え部材
１５  切り欠き溝部分
１６  支え部材
１７  切り込み線
１８  折り曲げ部
１９  開口部
２０  切り欠き溝
２１  切り込み線
２２  折り曲げ部
２３  支え部材
２４  前縁
【図１】
2008279358.tif 000003
【図２】
2008279358.tif 000004
【図３】
2008279358.tif 000005
【図４】
2008279358.tif 000006
【図５】
2008279358.tif 000007
【図６】
2008279358.tif 000008
【図７】
2008279358.tif 000009
【図８】
2008279358.tif 000010
【図９】
2008279358.tif 000011